(57)【要約】      （修正有）【課題】髪毛の水分除去、抜け毛除去に便なるように、複数のクシを並行して組み合わせ、その取付け間隔を自在に調節でき、着脱可能としたブラシまたはクシを提供する。【解決手段】クシ本体１は、クシ１Ａ、１Ｂを伸縮蛇腹３Ａで結合して形成する。又クシ１Ａ、１Ｂの間に汚れや水分を吸収する吸収体４Ａを取付ける。クシ１Ａ、１Ｂの間隔を適宜調整することで上記吸収体の水分量を調整する。抜け毛は、ブラシの歯にからむより、水分を含む吸収体に多く付着するので、効率よく抜け毛を取除くことができる。【選択図】図５
0003158988.tif 000002
【実用新案登録請求の範囲】
【請求項１】
ブラシ歯またはクシ歯の間隔を自在に調整でき、ブラシ歯またはクシ歯間に水分を吸収できる吸収体を着脱可能としたブラシおよびクシ。
【請求項２】
取り外し自在の接合部品により複数個に分割できる請求項１に記載のブラシおよびクシ。
【請求項３】
吸収体を取り付けるブラシ歯およびクシ歯の付け根と先端において、先端の間隔は付け根の間隔より短い請求項１および２に記載のブラシおよびクシ。
【考案の詳細な説明】
【技術分野】
【０００１】本考案は、毛髪用およびペット用ブラシに関するものである。
【背景技術】
【０００２】従来、洗髪時に毛根の周囲の汚れを除去したり、洗髪後に髪の毛の水分を除去する時に使用するブラシは、ブラシの台座に複数の棒状や繊維状のブラシ歯を固定してあり、ブラシ歯間やブラシ表面に吸収体を取り付け、ブラッシングにより水分や汚れを吸収体に付着させる。【０００３】また、ペット用ブラシは、毛の洗浄、抜け毛の除去のために使用する。
【先行技術文献】
【特許文献】
【０００４】
【特許文献１】  特開平１１−０２８１１９
【特許文献２】  実開平０６−０３３５２２
【特許文献３】  特開平１１−２２１１８４
【特許文献４】  実開平０４−０５８１１６
【特許文献５】  特開平０９−０８４６３４
【特許文献６】  実用新案登録第３１４７４２７号
【特許文献７】  実開平６−２１７５７
【考案の概要】
【考案が解決しようとする課題】
【０００５】洗髪時に毛根の周囲の汚れを除去したり、洗髪後に髪の毛の水分を除去する時に使用するブラシは、ブラシの台座に複数の棒状や繊維状のブラシ歯を固定してあり、ブラシ歯間やブラシ表面に吸収体を取り付けてある。ブラシ歯間の距離が決まっているので、ブラッシングにより吸収体に付着する汚れや水分量は、吸収体の材質により一定である。【０００６】ところで、髪の毛の本数や長さには個体差があるため、吸収体に吸収させたい水分量は異なる。特に髪の長い人が髪の毛を乾かすときには、既存のブラシでは何度も吸収体で吸収した水分を絞るあるいは新たに水分を含んでいない吸収体に交換する必要があった。【０００７】また、ペットの毛の洗浄後に水分を除去する時も毛の本数や長さには個体差があるため、毛の長いペットを乾かすときには、既存のブラシでは何度も吸収体で吸収した水分を絞るあるいは新たに水分を含んでいない吸収体に交換する必要があった。【０００８】さらに、ペット用ブラシで抜け毛を取る時は吸収体の表面全体に抜け毛が付着すると毛同士の接着力は毛と台座の接着力より劣るため抜け毛を除去しづらくなり、一旦抜け毛を指で除去して再度ブラッシングをする必要があった。【０００９】特開平１１−０２８１１９のヘアブラシはブラシ歯の位置が固定されているので、ブラシ歯の間に取り付ける吸収体の水分吸収量を変えるためには、大きさや材質の異なる多種類の吸収体を用意しなければならなかった。【００１０】実開平０６−０３３５２２の髪用給水ブラシ、特開平１１−２２１１８４の清掃用拭具、実開平０４−０５８１１６の毛髪乾燥用ブラシは、クシ歯またはブラシ歯の位置が固定されているため、吸収体の水分吸収量を変えるためには、水分吸収量の異なる材質の吸収体を用意しなければならなかった。【００１１】特開平０９−０８４６３４の毛髪用ブラシ、実用新案登録第３１４７４２７号のブラシ、実開平６−２１７５７のブラシ兼用シャワーは、吸収体を使用しない点で本考案と異なっている。【００１２】本考案は以上の事情に基づいてなされたものであって、その目的は、ブラッシングにより洗髪時に毛根の周囲の汚れを除去したり、洗髪後に髪の毛の水分を除去する時やペットの毛の洗浄をする時に、吸収体を取り付けるブラシ歯あるいはクシ歯の間隔を自在に変えることにより吸収体の水分吸収量を調整することができ、効率的に水分を除去したり、抜け毛を除去できる、毛髪用およびペット用ブラシに関するものである。
【課題を解決するための手段】
【００１３】上記課題を解決するために、ブラシ歯またはクシ歯の間隔を自在に調整でき、ブラシ歯またはクシ歯の間に水分を吸収できる吸収体を着脱可能としたブラシおよびクシとするものである。【００１４】また、取り外し自在の接合部品により複数個に分割できるブラシおよびクシとするものである。【００１５】さらに、吸収体を取り付けるブラシ歯およびクシ歯の付け根と先端において、先端の間隔は付け根の間隔より短いブラシおよびクシとするものである。
【考案の効果】
【００１６】洗髪後に髪の毛の水分を除去する時には、ブラシ歯またはクシ歯の間隔を拡げる、または分割できるブラシまたはクシの接合の数を増やすことで多量の水分を吸収できる。【００１７】また、ペットのブラッシングをする時には、吸収体に水分を含ませると、ブラシ歯またはクシ歯間に新たに付着した抜け毛の表面は吸収体から供給される水分で覆われ、さらにブラッシングした時に取れる抜け毛が水分を介して接着しやすくなるため、従来のブラシおよびクシに比べ、より多くの抜け毛を短い時間で効率よく取ることができる。【００１８】また、抜け毛は、ブラシ歯またはクシ歯に絡むよりも吸収体に多く積層するため、従来のブラシあるいはクシではブラシ歯間やクシ歯間に挟まった抜け毛を指で取るのに時間がかかっていたのに対して、ブラシから抜け毛を効率よく取り除くことができる。【００１９】さらに、吸収体を外した後に、ブラシ歯またはクシ歯間に、水分を含まない吸収体を取り付けるか、分割したブラシ歯およびクシ歯を３つ以上接合させ、水分を含んだ吸収体と水分を含まない吸収体を取り付けることで、水分を含んだ吸収体に抜け毛を付着させ、水分を含まない吸収体はペットの毛に付着した水分や汚れを吸収させることで、抜け毛取りと水分除去を同時に効率よくおこなうことができる。
【図面の簡単な説明】
【００２０】
【図１】伸縮蛇腹で接合されたクシの側面図
【図２】図１のクシ間隔を拡げたクシの側面図
【図３】図１、図２のクシの正面図
【図４】図１のＡ−Ａ’断面図
【図５】伸縮蛇腹で接合されたクシに吸収体を取り付けた側面図
【図６】凹部品と凸部品で接合されたクシの側面図
【図７】図６のＢ−Ｂ’断面図
【図８】図６の凹部品の外周に取り付ける吸収体の正面図
【図９】接合部品で接合されたクシの側面図
【図１０】図９のＣ−Ｃ’断面図
【図１１】接合部品で接合されたクシに吸収体を取り付けた側面図
【図１２】図１１のＤ−Ｄ’断面図
【図１３】伸縮蛇腹で接合されたクシの２ヶ所のクシ歯間に吸収体を取り付けた側面図
【図１４】接合部品で接合されたクシの２ヶ所のクシ歯間に吸収体を取り付けた側面図
【図１５】図１４の１つの吸収体に水分を含ませた側面図
【図１６】図１５のブラッシング後の側面図
【図１７】接合部品で接合されたブラシの斜視図
【図１８】図１７のブラシ台座面の平面図
【図１９】図１８の側面図
【図２０】図１９のＥ−Ｅ’断面図
【図２１】吸収体を取り付けたブラシの斜視図
【考案を実施するための形態】
【００２１】以下、本発明のクシの実施の形態を説明する。
（イ）図１は伸縮蛇腹（３Ａ）で接合されたクシ本体（１）の側面図である。
（ロ）クシ（１Ａ）と（１Ｂ）の間隔は図−２のように伸縮蛇腹（３Ａ）を伸縮させることで調整ができる。
（ハ）クシの間に図−５のように吸収体（４Ａ）を取り付けることで汚れや水分を吸収することができる。
【００２２】以下、本発明のブラシの実施の形態を説明する。
（イ）図１７は接合部品で接合されたブラシの斜視図である。
（ロ）ブラシ（１１Ａ）と（１１Ｂ）の間隔は図２０の接合部品（１５）が接合部品取り付け穴（１６）から外れない長さまで伸ばすことができる。
（ハ）図２１のように吸収体（１４）を取り付けて使用する。
【実施例】
【００２３】＜実施例１＞
図６は凹部品（６）と凸部品（７）で接合されたクシの側面図である。クシ間には図８の通り、凹部品（６）の外径に嵌るように接合部品貫通穴（８）を開けた吸収体（４Ｃ）を取り付けることができる。
吸収体（４Ｃ）は紙、布、吸水性ポリマー、フェルトなどが適し、例えば、凹部品の外径がφ５ｍｍ以下であれば、キッチンペーパーを重ねて穴開けパンチで直径φ５ｍｍの穴を開けて吸収体とすることができる。【００２４】＜実施例２＞
図９は接合部品（５Ｅ）で接合されたクシの側面図である。クシ間には図１１、図１２のように接合部品（５Ｅ）を貫通させる穴を開けた吸収体（４Ｅ）を取り付けることができる。吸収体（４Ｅ）を取り付けてもブラッシングができるよう、ブラシ歯（２Ｅ）の先端は吸収体（４Ｅ）の先端よりも接合部品（５Ｅ）からの距離を長くするのがよい。ペットの毛を除去する時は、吸収体（４Ｅ）の先端とクシ歯（２Ｅ）の先端の間隔分だけ抜け毛を積層させることができる。【００２５】＜実施例３＞
図１３は伸縮蛇腹（３Ｂ）（３Ｃ）で接合されたクシ本体（１）に２個の吸収体（４Ｂ）（４Ｄ）を取り付けた状態を示す側面図である。３個のクシ（１Ｇ）（１Ｈ）（ＩＪ）は伸縮蛇腹（３Ｂ）（３Ｃ）で接合されており、吸収体（４Ｂ）（４Ｄ）が落下しないよう、両側の各々のクシ（１Ｇ）（１Ｊ）と真ん中のクシ（ＩＨ）とにおいて、クシ歯の付け根間隔は先端間隔よりも長くなるようにしてある。【００２６】＜実施例４＞
図１４は接合部品（５Ｋ）で接合されたクシ本体（１）に２個の吸収体（４Ｊ）（４Ｌ）を取り付けた状態を示す側面図である。吸収体（４Ｊ）（４Ｌ）には接合部品貫通穴を開けてあり、接合部品（５Ｋ）を通すことでクシに取り付けることができる。図１５のように１つの吸収体（４Ｊ’）には水分を吸収させ、もう１つの吸収体（４Ｌ）には水分を含ませなければ、１回のブラッシングにより吸収体（４Ｊ’）でペットの抜け毛や汚れを拭き取り、もう１つの吸収体（４Ｌ）で水分を拭き取ることができる。ブラッシング後は図１６のように吸収体（４Ｊ’）表面には抜け毛（９）が付着し、吸収体（４Ｌ’）には水分が吸収されるため効率的にペットの抜け毛取り、汚れ取りと水分の除去ができる。【００２７】＜実施例５＞
図１７〜図２１は接合部品（１５）で接合されたブラシ本体（１１）の図である。図２１のようにブラシ間に吸収体（１４）を挟んで使用する。
【産業上の利用可能性】
【００２８】繊維状の植物樹皮や繊維素材を清掃する時にも、吸収体に水分を含ませておけば樹皮や繊維素材の付け根まで水分が供給されるため、抜けた繊維、あるいは抜けやすい繊維同志が水分により接着し合い、従来のブラシあるいはクシよりも抜けた繊維素材と汚れを取りやすい。
【符号の説明】
【００２９】  １      クシ本体
１Ａ    クシ
１Ｂ    クシ
１Ｃ    クシ
１Ｄ    クシ
１Ｅ    クシ
１Ｆ    クシ
１Ｇ    クシ
１Ｈ    クシ
１Ｊ    クシ
１Ｋ    クシ
１Ｌ    クシ
１Ｍ    クシ
２Ａ    クシ歯
２Ｃ    クシ歯
２Ｅ    クシ歯
３Ａ    伸縮蛇腹
３Ｂ    伸縮蛇腹
３Ｃ    伸縮蛇腹
４Ａ    吸収体
４Ｂ    吸収体
４Ｃ    吸収体
４Ｄ    吸収体
４Ｅ    吸収体
４Ｊ    吸収体
４Ｊ’  水分を吸収した吸収体
４Ｌ    吸収体
４Ｌ’  水分を吸収した吸収体
５Ｅ    接合部品
５Ｋ    接合部品
６      凹部品
７      凸部品
８      接合部品貫通穴
９      抜け毛
１１    ブラシ本体
１１Ａ  ブラシ台座
１１Ｂ  ブラシ台座
１２    ブラシ歯
１４    吸収体
１５    接合部品
１６    接合部品取り付け穴
【図１】
0003158988.tif 000003
【図２】
0003158988.tif 000004
【図３】
0003158988.tif 000005
【図４】
0003158988.tif 000006
【図５】
0003158988.tif 000007
【図６】
0003158988.tif 000008
【図７】
0003158988.tif 000009
【図８】
0003158988.tif 000010
【図９】
0003158988.tif 000011
【図１０】
0003158988.tif 000012
【図１１】
0003158988.tif 000013
【図１２】
0003158988.tif 000014
【図１３】
0003158988.tif 000015
【図１４】
0003158988.tif 000016
【図１５】
0003158988.tif 000017
【図１６】
0003158988.tif 000018
【図１７】
0003158988.tif 000019
【図１８】
0003158988.tif 000020
【図１９】
0003158988.tif 000021
【図２０】
0003158988.tif 000022
【図２１】
0003158988.tif 000023
【手続補正書】
【提出日】平成21年11月29日(2009.11.29)
【手続補正１】
【補正対象書類名】実用新案登録請求の範囲
【補正対象項目名】請求項１
【補正方法】変更
【補正の内容】
【請求項１】
ブラシ歯またはクシ歯の間隔を自在に調整でき、ブラシ歯またはクシ歯間に水分を吸収できる吸収体を着脱可能としたブラシまたはクシ。
【手続補正２】
【補正対象書類名】実用新案登録請求の範囲
【補正対象項目名】請求項２
【補正方法】変更
【補正の内容】
【請求項２】
取り外し自在の接合部品により複数個に分割できる請求項１に記載のブラシまたはクシ。
【手続補正３】
【補正対象書類名】実用新案登録請求の範囲
【補正対象項目名】請求項３
【補正方法】変更
【補正の内容】
【請求項３】
吸収体を取り付けるブラシ歯およびクシ歯の付け根と先端において、先端の間隔は付け根の間隔より短い請求項１および２に記載のブラシまたはクシ。
【手続補正書】
【提出日】平成22年2月6日(2010.2.6)
【手続補正１】
【補正対象書類名】実用新案登録請求の範囲
【補正対象項目名】全文
【補正方法】変更
【補正の内容】
【実用新案登録請求の範囲】
【請求項１】
ブラシ歯またはクシ歯の間隔を自在に調整でき、ブラシ歯またはクシ歯間に水分を吸収できる吸収体を着脱可能としたブラシまたはクシ。
【請求項２】
取り外し自在の接合部品により複数個に分割できる請求項１に記載のブラシまたはクシ。
【請求項３】
吸収体を取り付けるブラシ歯またはクシ歯の付け根と先端において、先端の間隔は付け根の間隔より短い請求項１または２に記載のブラシまたはクシ。